(57)【要約】【課題】冊子を構成する用紙の表面と裏面とで異なる情報を提示する。【解決手段】冊子６０は、複数の用紙を綴じ側６１で綴じて形成されている。冊子６０の複数の用紙を順方向（矢印Ｘ１方向）に繰る形態に湾曲させた際に現れるように、複数の用紙の表面６３の小口側６２の端部にタブマーク７１が印刷されている。冊子６０を構成する複数の用紙の表面６３には、冊子６０の記載内容を一の分類方法により区分けした複数の区分毎に、複数の用紙の小口側６２の辺に沿った方向（矢印Ｙ方向）に位置を変えることにより、タブマーク７１が印刷されている。また、冊子６０を構成する複数の用紙の裏面６４には、冊子６０の記載内容を一の分類方法とは異なる他の分類方法により区分けした複数の区分毎に、複数の用紙の小口側６２の辺に沿った方向に位置を変えることにより、タブマークが印刷されている。【選択図】図５
2010201802.tif 000002
【特許請求の範囲】
【請求項１】
複数の用紙を綴じて形成された冊子であって、
前記複数の用紙を順方向に繰る形態に前記冊子を湾曲させた際に現れるように、前記複数の用紙の表面の小口側の端部に第１態様のタブマークが印刷され、
前記複数の用紙を逆順方向に繰る形態に前記冊子を湾曲させた際に現れるように、前記複数の用紙の裏面の小口側の端部に第２態様のタブマークが印刷され、
前記第１態様のタブマークと前記第２態様のタブマークとは互いに異なる冊子。
【請求項２】
前記複数の用紙の表面には、前記冊子の記載内容を一の分類方法により区分けした複数の区分毎に、前記複数の用紙の小口側の辺に沿った方向に位置を変えることにより、前記第１態様のタブマークが印刷されており、
前記複数の用紙の裏面には、前記冊子の記載内容を前記一の分類方法とは異なる他の分類方法により区分けした複数の区分毎に、前記複数の用紙の小口側の辺に沿った方向に位置を変えることにより、前記第２態様のタブマークが印刷されている、
請求項１に記載の冊子。
【請求項３】
前記一の分類方法又は前記他の分類方法は、ページ範囲で区分けする方法である、
請求項２に記載の冊子。
【請求項４】
前記一の分類方法又は前記他の分類方法により区分けした各区分に対応するページ群は、離散的に配置された複数のページからなる、
請求項２に記載の冊子。
【請求項５】
複数の用紙を綴じて形成される冊子の前記複数の用紙を繰る形態に前記冊子を湾曲させた際に現れるように、前記複数の用紙の小口側の端部にタブマークを印刷する画像形成装置であって、
外部装置から前記冊子の記載内容を二つの異なる分類方法によりそれぞれ複数の区分に区分けする印刷設定情報を受信する受信部と、
前記受信された印刷設定情報に基づいて、前記複数の用紙の表面には、前記二つの分類方法のうち一の分類方法により区分けした複数の区分毎に、前記複数の用紙の小口側の辺に沿った方向に位置を変えることにより、第１態様のタブマークを印刷し、前記複数の用紙の裏面には、前記二つの分類方法のうち前記一の分類方法とは異なる他の分類方法により区分けした複数の区分毎に、前記複数の用紙の小口側の辺に沿った方向に位置を変えることにより、第２態様のタブマークを印刷するよう印刷部を制御する制御部と、
を備える画像形成装置。
【請求項６】
複数の用紙を綴じて形成される冊子の前記複数の用紙を繰る形態に前記冊子を湾曲させた際に現れるように、前記複数の用紙の小口側の端部にタブマークを印刷する指示を行う印刷指示装置であって、
前記冊子の記載内容を二つの異なる分類方法によりそれぞれ複数の区分に区分けする印刷設定情報を入力するための操作部と、
前記入力された印刷設定情報に基づいて、前記複数の用紙の表面には、前記二つの分類方法のうち一の分類方法により区分けした複数の区分毎に、前記複数の用紙の小口側の辺に沿った方向に位置を変えることにより、第１態様のタブマークを印刷し、前記複数の用紙の裏面には、前記二つの分類方法のうち前記一の分類方法とは異なる他の分類方法により区分けした複数の区分毎に、前記複数の用紙の小口側の辺に沿った方向に位置を変えることにより、第２態様のタブマークを印刷する指示を示す印刷指示情報を生成する制御部と、
前記生成された印刷指示情報を画像形成装置に送信する送信部と、
を備える印刷指示装置。
【請求項７】
複数の用紙を綴じて形成される冊子の前記複数の用紙を繰る形態に前記冊子を湾曲させた際に現れるように、前記複数の用紙の小口側の端部にタブマークを印刷するコンピュータを、
外部装置から前記冊子の記載内容を二つの異なる分類方法によりそれぞれ複数の区分に区分けする印刷設定情報を受信する受信部、
前記受信された印刷設定情報に基づいて、前記複数の用紙の表面には、前記二つの分類方法のうち一の分類方法により区分けした複数の区分毎に、前記複数の用紙の小口側の辺に沿った方向に位置を変えることにより、第１態様のタブマークを印刷し、前記複数の用紙の裏面には、前記二つの分類方法のうち前記一の分類方法とは異なる他の分類方法により区分けした複数の区分毎に、前記複数の用紙の小口側の辺に沿った方向に位置を変えることにより、第２態様のタブマークを印刷するよう印刷部を制御する制御部、
として機能させるためのプログラム。
【請求項８】
複数の用紙を綴じて形成される冊子の前記複数の用紙を繰る形態に前記冊子を湾曲させた際に現れるように、前記複数の用紙の小口側の端部にタブマークを印刷する指示を行うコンピュータを、
前記冊子の記載内容を二つの異なる分類方法によりそれぞれ複数の区分に区分けする印刷設定情報を入力するための操作部、
前記入力された印刷設定情報に基づいて、前記複数の用紙の表面には、前記二つの分類方法のうち一の分類方法により区分けした複数の区分毎に、前記複数の用紙の小口側の辺に沿った方向に位置を変えることにより、第１態様のタブマークを印刷し、前記複数の用紙の裏面には、前記二つの分類方法のうち前記一の分類方法とは異なる他の分類方法により区分けした複数の区分毎に、前記複数の用紙の小口側の辺に沿った方向に位置を変えることにより、第２態様のタブマークを印刷する指示を示す印刷指示情報を生成する制御部、
前記生成された印刷指示情報を画像形成装置に送信する送信部、
として機能させるためのプログラム。
【発明の詳細な説明】
【技術分野】
【０００１】
本発明は、冊子、画像形成装置、印刷指示装置及びプログラムに関する。
【背景技術】
【０００２】
従来、辞書の見出し文字等、複数の用紙を綴じて形成される冊子の綴じ側と反対側である小口側の端面に文字が現れるように、各ページの小口側の端部に文字を分割して印刷する技術が用いられている。冊子に十分な厚さがない場合には、複数の用紙を繰る形態に冊子を湾曲させ、冊子全体を反らせた際に、冊子の小口側の紙端の重なり部分に文字が現れるように、各ページの小口側の端部に文字を分割して印刷するものが知られている（特許文献１参照）。
【０００３】
また、冊子の記載内容を章毎に区分けする場合等、冊子の記載内容に応じて、冊子を構成する複数の用紙を、ある範囲毎に区分けするためにタブ紙が用いられている。通常タブ紙は厚紙であるため、自動で反転を行うことが困難である。そこで、タブ紙の第１の面に印刷後、第２の面に印刷するためにタブ紙をセットし直すよう指示を表示する印刷装置が提案されている（特許文献２参照）。
【先行技術文献】
【特許文献】
【０００４】
【特許文献１】米国特許第７３４９６５１号明細書
【特許文献２】特開２００４−１６８０３４号公報
【発明の概要】
【発明が解決しようとする課題】
【０００５】
しかしながら、タブ紙により冊子を区分けする場合には、一つの冊子に対して一つの分類方法で区分けすることしかできなかった。例えば、冊子の記載内容を異なる二つの観点に基づいてそれぞれ分類し、各ページが各分類方法においていずれの区分に属するものであるかを示すことはできなかった。
【０００６】
本発明は上記の従来技術における問題に鑑みてなされたものであって、冊子を構成する用紙の表面と裏面とで異なる情報を提示することを課題とする。
【課題を解決するための手段】
【０００７】
上記課題を解決するために、請求項１に記載の発明は、複数の用紙を綴じて形成された冊子であって、前記複数の用紙を順方向に繰る形態に前記冊子を湾曲させた際に現れるように、前記複数の用紙の表面の小口側の端部に第１態様のタブマークが印刷され、前記複数の用紙を逆順方向に繰る形態に前記冊子を湾曲させた際に現れるように、前記複数の用紙の裏面の小口側の端部に第２態様のタブマークが印刷され、前記第１態様のタブマークと前記第２態様のタブマークとは互いに異なる冊子である。
【０００８】
請求項２に記載の発明は、請求項１に記載の冊子において、前記複数の用紙の表面には、前記冊子の記載内容を一の分類方法により区分けした複数の区分毎に、前記複数の用紙の小口側の辺に沿った方向に位置を変えることにより、前記第１態様のタブマークが印刷されており、前記複数の用紙の裏面には、前記冊子の記載内容を前記一の分類方法とは異なる他の分類方法により区分けした複数の区分毎に、前記複数の用紙の小口側の辺に沿った方向に位置を変えることにより、前記第２態様のタブマークが印刷されている。
【０００９】
請求項３に記載の発明は、請求項２に記載の冊子において、前記一の分類方法又は前記他の分類方法は、ページ範囲で区分けする方法である。
【００１０】
請求項４に記載の発明は、請求項２に記載の冊子において、前記一の分類方法又は前記他の分類方法により区分けした各区分に対応するページ群は、離散的に配置された複数のページからなる。
【００１１】
請求項５に記載の発明は、複数の用紙を綴じて形成される冊子の前記複数の用紙を繰る形態に前記冊子を湾曲させた際に現れるように、前記複数の用紙の小口側の端部にタブマークを印刷する画像形成装置であって、外部装置から前記冊子の記載内容を二つの異なる分類方法によりそれぞれ複数の区分に区分けする印刷設定情報を受信する受信部と、前記受信された印刷設定情報に基づいて、前記複数の用紙の表面には、前記二つの分類方法のうち一の分類方法により区分けした複数の区分毎に、前記複数の用紙の小口側の辺に沿った方向に位置を変えることにより、第１態様のタブマークを印刷し、前記複数の用紙の裏面には、前記二つの分類方法のうち前記一の分類方法とは異なる他の分類方法により区分けした複数の区分毎に、前記複数の用紙の小口側の辺に沿った方向に位置を変えることにより、第２態様のタブマークを印刷するよう印刷部を制御する制御部と、を備える。
【００１２】
請求項６に記載の発明は、複数の用紙を綴じて形成される冊子の前記複数の用紙を繰る形態に前記冊子を湾曲させた際に現れるように、前記複数の用紙の小口側の端部にタブマークを印刷する指示を行う印刷指示装置であって、前記冊子の記載内容を二つの異なる分類方法によりそれぞれ複数の区分に区分けする印刷設定情報を入力するための操作部と、前記入力された印刷設定情報に基づいて、前記複数の用紙の表面には、前記二つの分類方法のうち一の分類方法により区分けした複数の区分毎に、前記複数の用紙の小口側の辺に沿った方向に位置を変えることにより、第１態様のタブマークを印刷し、前記複数の用紙の裏面には、前記二つの分類方法のうち前記一の分類方法とは異なる他の分類方法により区分けした複数の区分毎に、前記複数の用紙の小口側の辺に沿った方向に位置を変えることにより、第２態様のタブマークを印刷する指示を示す印刷指示情報を生成する制御部と、前記生成された印刷指示情報を画像形成装置に送信する送信部と、を備える。
【００１３】
請求項７に記載の発明は、複数の用紙を綴じて形成される冊子の前記複数の用紙を繰る形態に前記冊子を湾曲させた際に現れるように、前記複数の用紙の小口側の端部にタブマークを印刷するコンピュータを、外部装置から前記冊子の記載内容を二つの異なる分類方法によりそれぞれ複数の区分に区分けする印刷設定情報を受信する受信部、前記受信された印刷設定情報に基づいて、前記複数の用紙の表面には、前記二つの分類方法のうち一の分類方法により区分けした複数の区分毎に、前記複数の用紙の小口側の辺に沿った方向に位置を変えることにより、第１態様のタブマークを印刷し、前記複数の用紙の裏面には、前記二つの分類方法のうち前記一の分類方法とは異なる他の分類方法により区分けした複数の区分毎に、前記複数の用紙の小口側の辺に沿った方向に位置を変えることにより、第２態様のタブマークを印刷するよう印刷部を制御する制御部、として機能させるためのプログラムである。
【００１４】
請求項８に記載の発明は、複数の用紙を綴じて形成される冊子の前記複数の用紙を繰る形態に前記冊子を湾曲させた際に現れるように、前記複数の用紙の小口側の端部にタブマークを印刷する指示を行うコンピュータを、前記冊子の記載内容を二つの異なる分類方法によりそれぞれ複数の区分に区分けする印刷設定情報を入力するための操作部、前記入力された印刷設定情報に基づいて、前記複数の用紙の表面には、前記二つの分類方法のうち一の分類方法により区分けした複数の区分毎に、前記複数の用紙の小口側の辺に沿った方向に位置を変えることにより、第１態様のタブマークを印刷し、前記複数の用紙の裏面には、前記二つの分類方法のうち前記一の分類方法とは異なる他の分類方法により区分けした複数の区分毎に、前記複数の用紙の小口側の辺に沿った方向に位置を変えることにより、第２態様のタブマークを印刷する指示を示す印刷指示情報を生成する制御部、前記生成された印刷指示情報を画像形成装置に送信する送信部、として機能させるためのプログラムである。
【発明の効果】
【００１５】
請求項１に記載の発明によれば、冊子を構成する用紙の表面と裏面とで異なる情報を提示することができる。
【００１６】
請求項２、５、６、７、８に記載の発明によれば、用紙の表面と裏面とで異なる分類方法により区分けされた区分を示す情報を提示することができる。
【００１７】
請求項３に記載の発明によれば、ページ範囲で区分けする分類方法により区分けされた区分を示す情報を提示することができる。
【００１８】
請求項４に記載の発明によれば、離散的に配置された複数のページからなるページ群に区分けされた区分を示す情報を提示することができる。
【図面の簡単な説明】
【００１９】
【図１】本発明の実施の形態における画像形成システムのシステム構成図である。
【図２】クライアントＰＣの機能的構成を示すブロック図である。
【図３】画像形成装置の機能的構成を示すブロック図である。
【図４】冊子の構成を説明するための斜視図である。
【図５】「ページ範囲指定」が設定された場合の表面のタブマークの印刷例である。
【図６】「特定ページ指定」が設定された場合の裏面のタブマークの印刷例である。
【図７】表面のタブマークを設定する際の両面タブ印刷設定画面の画面例である。
【図８】裏面のタブマークを設定する際の両面タブ印刷設定画面の画面例である。
【図９】クライアントＰＣにおいて実行される両面タブ印刷設定処理を示すフローチャートである。
【図１０】表タブ設定処理を示すフローチャートである。
【図１１】ページ範囲指定時ページ調整処理を示すフローチャートである。
【図１２】（ａ）は、表面のタブマークの設定において「開始ページ」が１００ページの場合に、１００ページが表面であるときのタブマークの印刷例である。（ｂ）は、表面のタブマークの設定において「開始ページ」が１００ページの場合に、１００ページが裏面であるときのタブマークの印刷例である。
【図１３】（ａ）は、裏面のタブマークの設定において「開始ページ」が１００ページの場合に、１００ページが表面であるときのタブマークの印刷例である。（ｂ）は、裏面のタブマークの設定において「開始ページ」が１００ページの場合に、１００ページが裏面であるときのタブマークの印刷例である。
【図１４】特定ページ指定時ページ調整処理を示すフローチャートである。
【図１５】裏タブ設定処理を示すフローチャートである。
【図１６】画像形成装置において実行される印刷処理を示すフローチャートである。
【図１７】ジョブ解析処理を示すフローチャートである。
【図１８】第１の両面タブ印刷設定解析処理を示すフローチャートである。
【図１９】第１の両面タブ印刷設定解析処理を示すフローチャートである。
【図２０】タブマーク及びページマークの印刷位置の算出方法を説明するための図である。
【図２１】第２の両面タブ印刷設定解析処理を示すフローチャートである。
【図２２】ＲＩＰ処理を示すフローチャートである。
【発明を実施するための形態】
【００２０】
以下、図面を参照して、本発明の実施の形態について説明する。
図１に、本実施の形態における画像形成システム１のシステム構成を示す。図１に示すように、画像形成システム１は、クライアントＰＣ（Personal Computer）１０と、画像形成装置２０とから構成されており、各装置は、通信ネットワークＮを介してデータ通信可能に接続されている。
【００２１】
クライアントＰＣ１０は、一般的なＰＣから構成され、画像形成装置２０における印刷を指示する印刷指示装置である。クライアントＰＣ１０には、ＯＳ（Operating System）や、印刷する文書を作成するための文書作成プログラムがインストールされている。また、クライアントＰＣ１０には、作成した文書の印刷指示や印刷する文書の印刷方法の指定を行うためのプリンタドライバプログラムがインストールされている。クライアントＰＣ１０は、このプリンタドライバの機能を用いて、印刷実行時に適用される印刷条件や本文データ等を含む印刷ジョブを生成し、画像形成装置２０に送信する。
【００２２】
画像形成装置２０は、コピー機能、画像読取機能、プリンタ機能を備えた、所謂ＭＦＰ（Multi-Function Peripheral）であって、画像データに基づいて用紙に画像を形成する。画像形成装置２０には、クライアントＰＣ１０から送信された印刷ジョブを受信し、ラスタデータへ展開するためのプリンタコントローラプログラムがインストールされている。
【００２３】
図２に、クライアントＰＣ１０の機能的構成を示す。図２に示すように、クライアントＰＣ１０は、ＣＰＵ（Central Processing Unit）１１、操作部１２、表示部１３、通信部１４、ＲＯＭ（Read Only Memory）１５、ＲＡＭ（Random Access Memory）１６、記憶部１７を備え、各部はバス１８により接続されて構成されている。
【００２４】
ＣＰＵ１１は、クライアントＰＣ１０の各部の処理動作を統括的に制御する。具体的には、ＣＰＵ１１は、操作部１２から入力される操作信号又は通信部１４により受信した指示信号に応じて、ＲＯＭ１５又は記憶部１７に格納されている各種処理プログラムを読み出してＲＡＭ１６に展開し、当該プログラムとの協働により各種処理を行う。
【００２５】
ＣＰＵ１１は、記憶部１７からプリンタドライバプログラムを読み出してＲＡＭ１６に展開し、当該プログラムとの協働により、印刷ジョブを生成し、画像形成装置２０における印刷を指示する。
【００２６】
操作部１２は、カーソルキー、文字入力キー、及び各種機能キー等を備えたキーボードと、マウス等のポインティングデバイスを備えて構成され、キーボードに対するキー操作やマウス操作により入力された指示信号をＣＰＵ１１に出力する。
【００２７】
表示部１３は、ＬＣＤ（Liquid Crystal Display）により構成され、ＣＰＵ１１から入力される表示信号の指示に従って、各種表示画面等を表示する。
【００２８】
通信部１４は、通信ネットワークＮを介して接続された画像形成装置２０等の外部機器との間でデータの送受信を行うための機能部である。
【００２９】
ＲＯＭ１５は、不揮発性の半導体メモリ等により構成され、ＣＰＵ１１により実行される各種処理プログラム、各種データ等を記憶する。
【００３０】
ＲＡＭ１６は、ＣＰＵ１１により実行される各種処理プログラム及びこれらプログラムに係るデータを一時的に記憶するワークエリアを形成する。
【００３１】
記憶部１７は、ハードディスク等から構成され、プリンタドライバプログラム等の各種プログラム、画像データ等の各種データを記憶する記憶装置である。
【００３２】
図３に、画像形成装置２０の機能的構成を示す。図３に示すように、画像形成装置２０は、ＣＰＵ２１、操作部２２、表示部２３、画像読取部２４、通信部２５、ＲＯＭ２６、ＲＡＭ２７、印刷部２８、記憶部２９を備え、各部はバス３０により接続されて構成されている。
【００３３】
ＣＰＵ２１は、画像形成装置２０の各部の処理動作を統括的に制御する。具体的には、ＣＰＵ２１は、操作部２２から入力される操作信号又は通信部２５により受信した指示信号に応じて、ＲＯＭ２６又は記憶部２９に格納されている各種処理プログラムを読み出してＲＡＭ２７に展開し、当該プログラムとの協働により各種処理を行う。
【００３４】
ＣＰＵ２１は、記憶部２９からプリンタコントローラプログラムを読み出してＲＡＭ２７に展開し、当該プログラムとの協働により、印刷部２８を制御して、クライアントＰＣ１０から受信した印刷ジョブに従った印刷を行わせる。
【００３５】
操作部２２は、数字キーやスタートキー、リセットキー等の各種キーを有し、押下されたキーの押下信号をＣＰＵ２１に出力する。また、操作部２２は、表示部２３と一体的に形成されたタッチパネルを備えており、ユーザの指先やタッチペン等により当接されたタッチパネル上の位置を検出して、位置信号をＣＰＵ２１に出力する。
【００３６】
表示部２３は、ＬＣＤ等により構成され、ＣＰＵ２１から入力される表示信号の指示に従って、操作部２２からの入力指示やデータ等を表示する。
【００３７】
画像読取部２４は、原稿画像を読み取って画像データを生成する所謂スキャナであり、原稿を載置するプラテンガラス、プラテンガラス上の原稿画像を走査し、これをＣＣＤ（Charge Coupled Device）イメージセンサ上に結像する走査光学系を備えている。画像読取部２４は、ＣＣＤイメージセンサで読み取った原稿画像に基づいて生成された画像信号をＡ／Ｄ変換して画像データを生成する。
【００３８】
通信部２５は、通信ネットワークＮを介して接続されたクライアントＰＣ１０等の外部機器との間でデータの送受信を行うための機能部である。
【００３９】
ＲＯＭ２６は、不揮発性の半導体メモリ等により構成され、ＣＰＵ２１により実行される各種処理プログラム、各種データ等を記憶する。
【００４０】
ＲＡＭ２７は、ＣＰＵ２１により実行される各種処理プログラム及びこれらプログラムに係るデータを一時的に記憶するワークエリアを形成する。
【００４１】
印刷部２８は、電子写真方式、静電記録方式、熱転写方式等の作像プロセスを利用して用紙上に画像を印刷する。例えば、印刷部２８は、感光体、転写ベルト、定着器、各種搬送ベルト等を備える。印刷部２８は、ＣＰＵ２１の指示に従い、画像データに基づいて用紙上に画像を印刷する。
【００４２】
記憶部２９は、ハードディスク等の記憶装置であり、プリンタコントローラプログラム等の各種プログラム、通信部２５によりクライアントＰＣ１０から受信された印刷ジョブ、画像読取部２４により読み取られた画像データ等を記憶する。
【００４３】
次に、本実施の形態において作成される冊子の構成について説明する。
図４は、冊子６０の斜視図である。図４に示すように、冊子６０は、複数の用紙が綴じ側６１で綴じられて形成されている。冊子６０の綴じ側６１と反対側を小口側６２という。また、本実施の形態では、図４に示すように用紙の表面６３及び裏面６４をとった場合、すなわち、左開きの場合を例にして説明する。
【００４４】
図５は、用紙の表面６３に印刷されたタブマーク（第１態様のタブマーク）７１が現れるように、冊子６０を構成する複数の用紙を順方向（図５に示す矢印Ｘ１方向）に繰る形態に冊子６０を湾曲させた場合の斜視図である。タブマーク７１は、冊子６０の記載内容を区分けした場合に、各ページがいずれの区分に属するものかを示す識別画像であり、用紙の表面６３の小口側６２の端部に印刷される。冊子６０を構成する複数の用紙の表面６３には、冊子６０の記載内容を一の分類方法により区分けした複数の区分毎に、複数の用紙の小口側６２の辺に沿った方向（図５に示す矢印Ｙ方向）に位置を変えることにより、タブマーク７１が印刷されている。具体的には、用紙の表面６３には、冊子６０を構成する章（１章、２章等）毎に、矢印Ｙ方向に位置を変えることにより、タブマーク７１が印刷されている。
【００４５】
図６は、用紙の裏面６４に印刷されたタブマーク（第２態様のタブマーク）７２が現れるように、冊子６０を構成する複数の用紙を逆順方向（図６に示す矢印Ｘ２方向）に繰る形態に冊子６０を湾曲させた場合の斜視図である。冊子６０を構成する複数の用紙の裏面６４には、冊子６０の記載内容を表面６３についての分類方法（一の分類方法）とは異なる他の分類方法により区分けした複数の区分毎に、複数の用紙の小口側６２の辺に沿った方向（図６に示す矢印Ｙ方向）に位置を変えることにより、タブマーク７２が印刷されている。具体的には、冊子６０の索引に記載されている用語（圧縮、厚み、アメダス、粗地、加算等）の頭文字があ行、か行、・・・、わ行のいずれの区分に属するかに基づいて、各用語が含まれるページを区分けする。用紙の裏面６４には、その区分毎に、矢印Ｙ方向に位置を変えることにより、タブマーク７２が印刷されている。
【００４６】
また、用紙の裏面６４には、冊子６０を所定のページ単位で区分けしたページ範囲を示すマーク（以下、ページマークという。）７３が印刷されている。
【００４７】
また、用紙の裏面６４には、カテゴリ画像７４が印刷されている。カテゴリ画像７４は、タブマーク７２及びページマーク７３が何を示しているかを明確にするためのものであり、タブマーク７２に対応する区分の名称（あ、か、さ、た、な等のカテゴリ名）、ページマーク７３が示すページ範囲（１−４０ページ、４１−８０ページ等）を含む。
【００４８】
索引のように、カテゴリ（あ行、か行、・・・）内にてページ番号が離散的に配置されている場合、索引が記載されているページ又はその前のページの左端（裏面の場合）にカテゴリ名を矢印Ｙ方向に並べて印刷し、その高さに合わせて索引に記載されている用語が含まれるページにタブマーク７２を印刷することで、そのカテゴリがどのページに印刷されているかを探すことが容易になる。
【００４９】
索引のように、ページ番号で探したい場合、索引が記載されているページ又はその前のページの左端にページ範囲を矢印Ｙ方向に並べて印刷し、その高さに合わせて該当ページの左端にページマーク７３を印刷することで、ページマーク７３を見てページ範囲がわかるようになる。
【００５０】
例えば、索引の「圧縮・・・２０ページ」を探したい場合には、ページ範囲を示すページマーク７３から２０ページがどのあたりか把握できるため、カテゴリ画像７４のあ行を示す部分と同じ高さに印刷されているタブマーク７２のうち、２０ページ付近にあるタブマーク７２を探すことで、容易に該当ページを開くことができる。
【００５１】
次に、クライアントＰＣ１０における両面タブ印刷の設定について説明する。両面タブ印刷とは、複数の用紙を綴じて形成される冊子の複数の用紙を繰る形態に冊子を湾曲させた際に現れるように、冊子を構成する用紙の小口側の端部にタブマークを印刷するものであって、用紙の表面に印刷されるタブマーク（第１態様のタブマーク）と用紙の裏面に印刷されるタブマーク（第２態様のタブマーク）とが互いに異なるものをいう。すなわち、用紙の表面と裏面とで、異なる分類方法によって区分けされた結果を示すこととなる。両面タブ印刷の設定は、クライアントＰＣ１０のプリンタドライバ機能において、印刷対象となる文書等の印刷を指示する際に行われる。
【００５２】
図７及び図８に、クライアントＰＣ１０の表示部１３に表示される両面タブ印刷設定画面４０の例を示す。両面タブ印刷設定画面４０には、両面タブチェックボックス４１、表タブ設定タブ４２、裏タブ設定タブ５２等が含まれる。
【００５３】
両面タブチェックボックス４１は、両面タブ印刷を行うか否かを設定するためのものである。ユーザは、両面タブ印刷を行う場合には、操作部１２からの操作により、両面タブチェックボックス４１をオンに設定する。なお、両面タブ印刷機能は、両面印刷が設定されている場合にのみ使用できる機能である。
【００５４】
表タブ設定タブ４２は、表面のタブマーク（第１態様のタブマーク）の設定を行う際に選択されるタブであり、裏タブ設定タブ５２は、裏面のタブマーク（第２態様のタブマーク）の設定を行う際に選択されるタブである。ユーザは、表面のタブマークの設定を行う場合には、操作部１２からの操作により、表タブ設定タブ４２を選択し、裏面のタブマークの設定を行う場合には、操作部１２からの操作により、裏タブ設定タブ５２を選択する。
【００５５】
両面タブ印刷設定画面４０において、表タブ設定タブ４２が選択されている状態では、図７に示すように、両面タブ印刷設定画面４０には、さらに、表面についてのタブ種類設定領域４３、タブ設定領域４４、１枚当りの印刷幅設定領域４５、ページ範囲印刷設定領域４６、カテゴリ印刷設定領域４７、プレビュー表示領域４８が含まれる。
【００５６】
両面タブ印刷設定画面４０において、裏タブ設定タブ５２が選択されている状態では、図８に示すように、両面タブ印刷設定画面４０には、さらに、裏面についてのタブ種類設定領域５３、タブ設定領域５４、１枚当りの印刷幅設定領域５５、ページ範囲印刷設定領域５６、カテゴリ印刷設定領域５７、プレビュー表示領域５８が含まれる。
【００５７】
タブ種類設定領域４３，５３は、タブマークの種類を設定するための領域である。具体的には、ユーザは、操作部１２からの操作により、「ページ範囲指定」又は「特定ページ指定」のいずれかのボタンを選択し、タブマークの種類を設定する。「ページ範囲指定」が設定された場合には、図５に示すように、冊子６０を区分けした複数の区分毎に、指定されたページ範囲に含まれる用紙の小口側６２の端部の各区分に対応する位置にタブマークが印刷される。「特定ページ指定」が設定された場合には、図６に示すように、特定ページの用紙の小口側６２の端部の各区分に対応する位置にタブマークが印刷される。
【００５８】
タブ設定領域４４，５４は、タブマークとして印刷する内容を設定するための領域である。タブ種類設定領域４３，５３において「ページ範囲指定」が設定された場合には、ユーザは、操作部１２からの操作により、タブ設定領域４４，５４において、複数のカテゴリ（区分）と各カテゴリに対応するページ範囲とを入力する。タブ種類設定領域４３，５３において「特定ページ指定」が設定された場合には、ユーザは、操作部１２からの操作により、タブ設定領域４４，５４において、複数のカテゴリ（区分）と各カテゴリに対応するページ番号とを入力する。ここで、ページ番号は、１カテゴリに対して複数ページ入力可能であり（ページ群）、離散的に配置された一又は複数のページからなる。
【００５９】
図７に示すタブ設定領域４４では、「１章」というカテゴリに対してページ範囲が「１−６９」と設定され、「２章」というカテゴリに対してページ範囲が「７０−１３４」と設定され、「３章」というカテゴリに対してページ範囲が「１３５−２４０」と設定されている。
【００６０】
図８に示すタブ設定領域５４では、「あ」というカテゴリに対してページ番号が「２０，７９，８５，２０３」と設定され、「か」というカテゴリに対してページ番号が「３５，８０」と設定され、・・・、「わ」というカテゴリに対してページ番号が「１９３」と設定されている。
【００６１】
１枚当りの印刷幅設定領域４５，５５は、用紙１枚当りに印刷するタブマークの幅（図５において、冊子の小口側６２の辺と垂直な方向における印刷幅Ｗ）を設定するための領域である。ユーザは、操作部１２からの操作により、１枚当りの印刷幅を入力する。
【００６２】
ページ範囲印刷設定領域４６，５６は、ページ範囲印刷の設定を行うための領域である。ページ範囲印刷とは、ページ範囲を示すページマークを印刷することをいう。ページマークを印刷する場合にはページマークの幅も１枚当りの印刷幅設定領域４５，５５において設定された幅に従う。ページ範囲印刷設定領域４６，５６には、ページ範囲印刷チェックボックス４６ａ，５６ａ、開始ページ設定領域４６ｂ，５６ｂ、終了ページ設定領域４６ｃ，５６ｃ、ページ単位設定領域４６ｄ，５６ｄが含まれる。
【００６３】
ページ範囲印刷チェックボックス４６ａ，５６ａは、ページ範囲印刷を行うか否かを設定するためのものである。ユーザは、ページ範囲印刷を行う場合には、操作部１２からの操作により、ページ範囲印刷チェックボックス４６ａ，５６ａをオンに設定する。開始ページ設定領域４６ｂ，５６ｂは、ページマークを印刷する最初のページのページ番号（開始ページ）を設定するための領域である。終了ページ設定領域４６ｃ，５６ｃは、ページマークを印刷する最後のページのページ番号（終了ページ）を設定するための領域である。ページ単位設定領域４６ｄ，５６ｄは、ページマークを何ページ毎に区分けして印刷するか（ページ単位）を設定するための領域である。ユーザは、操作部１２からの操作により、ページマークの開始ページ、終了ページ、ページ単位を入力する。図８に示すページ範囲印刷設定領域５６は、１ページ〜２４０ページの印刷範囲に、４０ページ毎に区分けされたページマークが印刷される場合の例である。
【００６４】
カテゴリ印刷設定領域４７，５７は、カテゴリ印刷の設定を行うための領域である。カテゴリ印刷とは、タブ設定領域４４，５４で設定されたカテゴリのカテゴリ名を、指定したページに見出しとして印刷することをいう。ページ範囲印刷を行う場合には、カテゴリ印刷において、ページマークのページ範囲も、指定したページに見出しとして印刷する。カテゴリ印刷設定領域４７，５７には、カテゴリ印刷チェックボックス４７ａ，５７ａ、開始ページ設定領域４７ｂ，５７ｂ、終了ページ設定領域４７ｃ，５７ｃが含まれる。
【００６５】
カテゴリ印刷チェックボックス４７ａ，５７ａは、カテゴリ印刷を行うか否かを設定するためのものである。ユーザは、カテゴリ印刷を行う場合には、操作部１２からの操作により、カテゴリ印刷チェックボックス４７ａ，５７ａをオンに設定する。開始ページ設定領域４７ｂ，５７ｂは、カテゴリ印刷を行う最初のページのページ番号（開始ページ）を設定するための領域である。終了ページ設定領域４７ｃ，５７ｃは、カテゴリ印刷を行う最後のページのページ番号（終了ページ）を設定するための領域である。ユーザは、操作部１２からの操作により、カテゴリ印刷の開始ページ及び終了ページを入力する。
【００６６】
なお、表面にてカテゴリ印刷を行う場合には、用紙の表面に印刷を行う必要があるため、カテゴリ印刷設定領域４７のページ範囲で指定されたページのうち、表面にのみ印刷を行う。逆に、裏面にてカテゴリ印刷を行う場合には、用紙の裏面に印刷を行う必要があるため、カテゴリ印刷設定領域５７のページ範囲で指定されたページのうち、裏面にのみ印刷を行う。
【００６７】
プレビュー表示領域４８，５８は、両面タブ印刷のプレビュー画像を表示するための領域である。
【００６８】
次に、クライアントＰＣ１０における動作について説明する。
図９は、クライアントＰＣ１０において実行される両面タブ印刷設定処理を示すフローチャートである。この処理は、複数の用紙を綴じて形成される冊子の複数の用紙を繰る形態に冊子を湾曲させた際に現れるように、複数の用紙の小口側の端部にタブマークを印刷する指示を行う処理であって、ＣＰＵ１１と記憶部１７に記憶されているプリンタドライバプログラムとの協働によるソフトウェア処理によって実現される。
【００６９】
まず、ＣＰＵ１１により、表示部１３に表示されている両面タブ印刷設定画面４０の両面タブチェックボックス４１において、両面タブ印刷設定の指示があるか否かが判断される（ステップＳ１）。ユーザは、両面タブ印刷を行う場合には、操作部１２からの操作により、両面タブチェックボックス４１をオンに設定する。両面タブチェックボックス４１の設定内容は、ＣＰＵ１１により、ＲＡＭ１６に格納される。
【００７０】
両面タブ印刷設定画面４０の両面タブチェックボックス４１において、両面タブ印刷設定の指示があると判断された場合には（ステップＳ１；ＹＥＳ）、ＣＰＵ１１により、表タブ設定タブ４２が選択されている状態で、表タブ設定処理が行われる（ステップＳ２）。表タブ設定処理は、操作部１２から入力される情報に基づいて、冊子の記載内容を一の分類方法により複数の区分（カテゴリ）に区分けする設定を行う処理である。
【００７１】
ここで、図１０を参照して、表タブ設定処理について説明する。
まず、ＣＰＵ１１により、両面タブ印刷設定画面４０のタブ種類設定領域４３において、「ページ範囲指定」が設定されているか、又は、「特定ページ指定」が設定されているかが判断される（ステップＳ１１）。タブ種類設定領域４３の設定内容は、ＣＰＵ１１により、ＲＡＭ１６に格納される。
【００７２】
「ページ範囲指定」が設定されていると判断された場合には（ステップＳ１１；ＹＥＳ）、両面タブ印刷設定画面４０のタブ設定領域４４において、ユーザの操作部１２からの操作により入力された、複数のカテゴリと各カテゴリに対応するページ範囲（開始ページ及び終了ページ）とが、ＣＰＵ１１により設定される（ステップＳ１２）。タブ設定領域４４の設定内容は、ＣＰＵ１１により、ＲＡＭ１６に格納される。
【００７３】
次に、ＣＰＵ１１により、ページ範囲指定時ページ調整処理が行われる（ステップＳ１３）。
ページ範囲指定時ページ調整処理では、図１１に示すように、ＣＰＵ１１により、表面のタブマークの設定であるか否かが判断される（ステップＳ３１）。具体的には、ＣＰＵ１１により、両面タブ印刷設定画面４０において、表タブ設定タブ４２が選択されているか否かが判断される。
【００７４】
表面のタブマークの設定であると判断された場合には（ステップＳ３１；ＹＥＳ）、ＣＰＵ１１により、両面タブ印刷設定画面４０のタブ設定領域４４で設定されている各カテゴリに対応するページ範囲の「開始ページ」の値が表面であるか否かが判断される（ステップＳ３２）。各カテゴリに対応するページ範囲の「開始ページ」の値が表面であると判断された場合には（ステップＳ３２；ＹＥＳ）、そのままステップＳ３４に移行する。一方、ステップＳ３２において、各カテゴリに対応するページ範囲の「開始ページ」の値が表面でないと判断された場合には（ステップＳ３２；ＮＯ）、ＣＰＵ１１により、タブマークを印刷する「開始ページ」の値が１加算された値に変更される（ステップＳ３３）。
【００７５】
例えば、表面のタブマークの設定において「開始ページ」が１００ページの場合、１００ページが表面であるときには、図１２（ａ）に示すように、１００ページにタブマークを印刷する。一方、表面のタブマークの設定において「開始ページ」が１００ページの場合、１００ページが裏面であるときには、図１２（ｂ）に示すように、１０１ページにタブマークを印刷する。
【００７６】
ステップＳ３２において、各カテゴリに対応するページ範囲の「開始ページ」の値が表面であると判断された場合（ステップＳ３２；ＹＥＳ）、又は、ステップＳ３３の後、ＣＰＵ１１により、両面タブ印刷設定画面４０のタブ設定領域４４で設定されている各カテゴリに対応するページ範囲の「終了ページ」の値が表面であるか否かが判断される（ステップＳ３４）。各カテゴリに対応するページ範囲の「終了ページ」の値が表面でないと判断された場合には（ステップＳ３４；ＮＯ）、ＣＰＵ１１により、タブマークを印刷する「終了ページ」の値が１加算された値に変更される（ステップＳ３５）。
【００７７】
ステップＳ３１において、表面のタブマークの設定でないと判断された場合（ステップＳ３１；ＮＯ）、すなわち、裏面のタブマークの設定である場合には、ＣＰＵ１１により、両面タブ印刷設定画面４０のタブ設定領域５４で設定されている各カテゴリに対応するページ範囲の「開始ページ」の値が表面であるか否かが判断される（ステップＳ３６）。各カテゴリに対応するページ範囲の「開始ページ」の値が表面であると判断された場合には（ステップＳ３６；ＹＥＳ）、ＣＰＵ１１により、タブマークを印刷する「開始ページ」の値が１減算された値に変更される（ステップＳ３７）。一方、ステップＳ３６において、各カテゴリに対応するページ範囲の「開始ページ」の値が表面でないと判断された場合には（ステップＳ３６；ＮＯ）、そのままステップＳ３８に移行する。
【００７８】
例えば、裏面のタブマークの設定において「開始ページ」が１００ページの場合、１００ページが表面であるときには、図１３（ａ）に示すように、９９ページにタブマークを印刷する。一方、裏面のタブマークの設定において「開始ページ」が１００ページの場合、１００ページが裏面であるときには、図１３（ｂ）に示すように、１００ページにタブマークを印刷する。
【００７９】
ステップＳ３６において、各カテゴリに対応するページ範囲の「開始ページ」の値が表面でないと判断された場合（ステップＳ３６；ＮＯ）、又は、ステップＳ３７の後、ＣＰＵ１１により、両面タブ印刷設定画面４０のタブ設定領域５４で設定されている各カテゴリに対応するページ範囲の「終了ページ」の値が表面であるか否かが判断される（ステップＳ３８）。各カテゴリに対応するページ範囲の「終了ページ」の値が表面であると判断された場合には（ステップＳ３８；ＹＥＳ）、ＣＰＵ１１により、タブマークを印刷する「終了ページ」の値が１減算された値に変更される（ステップＳ３９）。
【００８０】
ステップＳ３４において、各カテゴリに対応するページ範囲の「終了ページ」の値が表面であると判断された場合（ステップＳ３４；ＹＥＳ）、ステップＳ３５の後、ステップＳ３９の後、又は、ステップＳ３８において、各カテゴリに対応するページ範囲の「終了ページ」の値が表面でないと判断された場合には（ステップＳ３８；ＮＯ）、ページ範囲指定時ページ調整処理が終了し、図１０のステップＳ１６に移行する。
【００８１】
図１０のステップＳ１１において、両面タブ印刷設定画面４０のタブ種類設定領域４３で「ページ範囲指定」が設定されていないと判断された場合（ステップＳ１１；ＮＯ）、すなわち、「特定ページ指定」が設定されている場合には、ユーザの操作部１２からの操作により入力された、複数のカテゴリと各カテゴリに対応するページ番号とが、ＣＰＵ１１により設定される（ステップＳ１４）。タブ設定領域４４の設定内容は、ＣＰＵ１１により、ＲＡＭ１６に格納される。
【００８２】
次に、ＣＰＵ１１により、特定ページ指定時ページ調整処理が行われる（ステップＳ１５）。
特定ページ指定時ページ調整処理では、図１４に示すように、ＣＰＵ１１により、表面のタブマークの設定であるか否かが判断される（ステップＳ４１）。
【００８３】
表面のタブマークの設定であると判断された場合には（ステップＳ４１；ＹＥＳ）、ＣＰＵ１１により、両面タブ印刷設定画面４０のタブ設定領域４４で設定されている各カテゴリに対応する「指定ページ（ページ番号で指定されたページ）」の値が表面であるか否かが判断される（ステップＳ４２）。各カテゴリに対応する「指定ページ」の値が表面でないと判断された場合には（ステップＳ４２；ＮＯ）、ＣＰＵ１１により、タブマークを印刷する「指定ページ」の値が１加算された値に変更される（ステップＳ４３）。
【００８４】
ステップＳ４１において、表面のタブマークの設定でないと判断された場合（ステップＳ４１；ＮＯ）、すなわち、裏面のタブマークの設定である場合には、ＣＰＵ１１により、両面タブ印刷設定画面４０のタブ設定領域５４で設定されている各カテゴリに対応する「指定ページ」の値が表面であるか否かが判断される（ステップＳ４４）。各カテゴリに対応する「指定ページ」の値が表面であると判断された場合には（ステップＳ４４；ＹＥＳ）、ＣＰＵ１１により、タブマークを印刷する「指定ページ」の値が１減算された値に変更される（ステップＳ４５）。
【００８５】
ステップＳ４２において、各カテゴリに対応する「指定ページ」の値が表面であると判断された場合（ステップＳ４２；ＹＥＳ）、ステップＳ４３の後、ステップＳ４５の後、又は、ステップＳ４４において、各カテゴリに対応する「指定ページ」の値が表面でないと判断された場合には（ステップＳ４４；ＮＯ）、特定ページ指定時ページ調整処理が終了し、図１０のステップＳ１６に移行する。
【００８６】
図１０に戻り、ページ範囲指定時ページ調整処理（ステップＳ１３）又は特定ページ指定時ページ調整処理（ステップＳ１５）の後、ＣＰＵ１１により、両面タブ印刷設定画面４０の１枚当りの印刷幅設定領域４５において、ユーザの操作部１２からの操作により入力された、用紙１枚当りの印刷幅が設定される（ステップＳ１６）。１枚当りの印刷幅設定領域４５の設定内容は、ＣＰＵ１１により、ＲＡＭ１６に格納される。
【００８７】
次に、ＣＰＵ１１により、両面タブ印刷設定画面４０のページ範囲印刷チェックボックス４６ａにおいて、ページ範囲印刷が設定されているか否かが判断される（ステップＳ１７）。ページ範囲印刷が設定されていると判断された場合には（ステップＳ１７；ＹＥＳ）、ＣＰＵ１１により、両面タブ印刷設定画面４０の開始ページ設定領域４６ｂ、終了ページ設定領域４６ｃ、ページ単位設定領域４６ｄにおいて、ユーザの操作部１２からの操作により入力された、ページマークを印刷する印刷範囲、ページ単位が設定される（ステップＳ１８）。これらの設定内容は、ＣＰＵ１１により、ＲＡＭ１６に格納される。
【００８８】
両面タブ印刷設定画面４０のページ範囲印刷チェックボックス４６ａにおいて、ページ範囲印刷が設定されていないと判断された場合（ステップＳ１７；ＮＯ）、又は、ステップＳ１８の後、ＣＰＵ１１により、両面タブ印刷設定画面４０のカテゴリ印刷チェックボックス４７ａにおいて、カテゴリ印刷が設定されているか否かが判断される（ステップＳ１９）。カテゴリ印刷が設定されていると判断された場合には（ステップＳ１９；ＹＥＳ）、ＣＰＵ１１により、両面タブ印刷設定画面４０の開始ページ設定領域４７ｂ、終了ページ設定領域４７ｃにおいて、ユーザの操作部１２からの操作により入力された、カテゴリ印刷を行うページ範囲が設定される（ステップＳ２０）。この設定内容は、ＣＰＵ１１により、ＲＡＭ１６に格納される。
【００８９】
両面タブ印刷設定画面４０のカテゴリ印刷チェックボックス４７ａにおいて、カテゴリ印刷が設定されていないと判断された場合（ステップＳ１９；ＮＯ）、又は、ステップＳ２０の後、ＣＰＵ１１により、両面タブ印刷設定画面４０の設定内容に基づいて、表面のタブマーク印刷の仕上がり状態を示すプレビュー画像が生成され、このプレビュー画像がプレビュー表示領域４８に表示される（ステップＳ２１）。
以上で、表タブ設定処理が終了する。
【００９０】
図９に戻り、ＣＰＵ１１により、裏タブ設定タブ５２が選択されている状態で、裏タブ設定処理が行われる（ステップＳ３）。裏タブ設定処理は、操作部１２から入力される情報に基づいて、冊子の記載内容を表面とは異なる他の分類方法により複数の区分（カテゴリ）に区分けする設定を行う処理である。
【００９１】
図１５に、裏タブ設定処理を示す。裏タブ設定処理のステップＳ５１〜ステップＳ６１は、設定対象が用紙の裏面か表面かが異なるのみで、表タブ設定処理のステップＳ１１〜ステップＳ２１と同様であるため、説明を省略する。
【００９２】
図９に戻り、操作部１２からの操作により、印刷が指示された場合、ＣＰＵ１１により、ステップＳ２及びステップＳ３において設定された情報に基づいて、複数のページのそれぞれの印刷内容を示す本文データ及び両面タブ印刷設定情報を含む印刷指示情報としての印刷ジョブ（ＰＤＬデータ）が生成される（ステップＳ４）。そして、ＣＰＵ１１により、印刷ジョブが通信部１４を介して画像形成装置２０に送信される（ステップＳ５）。
以上で、両面タブ印刷設定処理が終了する。
【００９３】
両面タブ印刷設定情報には、表面のタブマークが設定された場合には表タブ設定情報が含まれ、裏面のタブマークが設定された場合には裏タブ設定情報が含まれる。表タブ設定情報、表タブ設定情報のそれぞれには、タブマークの種類（「ページ範囲指定」又は「特定ページ指定」）、タブ設定情報（「ページ範囲指定」の場合には複数のカテゴリと各カテゴリに対応するページ範囲、「特定ページ指定」の場合には複数のカテゴリと各カテゴリに対応するページ番号）、１枚当りの印刷幅が含まれる。
【００９４】
また、表タブ設定情報においてページ範囲印刷が設定された場合には、表タブ設定情報にはページ範囲印刷設定情報が含まれる。裏タブ設定情報においてページ範囲印刷が設定された場合には、裏タブ設定情報にはページ範囲印刷設定情報が含まれる。ページ範囲印刷設定情報には、ページマークの開始ページ、終了ページ、ページ単位が含まれる。
【００９５】
また、表タブ設定情報においてカテゴリ印刷が設定された場合には、表タブ設定情報にはカテゴリ印刷設定情報が含まれる。裏タブ設定情報においてカテゴリ印刷が設定された場合には、裏タブ設定情報にはカテゴリ印刷設定情報が含まれる。カテゴリ印刷設定情報には、カテゴリ印刷の開始ページ及び終了ページが含まれる。
【００９６】
なお、図９では、表タブ設定処理（ステップＳ２）の後、裏タブ設定処理（ステップＳ３）を行うこととしたが、裏タブ設定処理の後、表タブ設定処理を行うこととしてもよい。また、表タブ設定処理の途中で裏タブ設定処理に切り替えたり、裏タブ設定処理の途中で表タブ設定処理に切り替えたりしてもよい。表タブ設定タブ４２又は裏タブ設定タブ５２の選択により、表面のタブマークの設定と裏面のタブマークの設定が切り替えられた場合にも、設定された内容はＲＡＭ１６に保持される。
【００９７】
次に、画像形成装置２０における動作について説明する。
図１６は、画像形成装置２０において実行される印刷処理を示すフローチャートである。この処理は、複数の用紙を綴じて形成される冊子の複数の用紙を繰る形態に冊子を湾曲させた際に現れるように、複数の用紙の小口側の端部にタブマークを印刷する処理であって、ＣＰＵ２１と記憶部２９に記憶されているプリンタコントローラプログラムとの協働によるソフトウェア処理によって実現される。
【００９８】
まず、画像形成装置２０において、通信部２５により、クライアントＰＣ１０から送信された印刷ジョブ（ＰＤＬデータ）が受信される（ステップＴ１）。
【００９９】
次に、ＣＰＵ２１により、受信された印刷ジョブに対してジョブ解析処理が行われ（ステップＴ２）、印刷設定情報が抽出される。
【０１００】
ここで、図１７を参照して、ジョブ解析処理について説明する。
ＣＰＵ２１により、印刷ジョブに対して従来のジョブ解析処理が行われる（ステップＴ１１）。
【０１０１】
次に、ＣＰＵ２１により、印刷ジョブに両面タブ印刷設定情報が含まれるか否かが判断される（ステップＴ１２）。印刷ジョブに両面タブ印刷設定情報が含まれると判断された場合には（ステップＴ１２；ＹＥＳ）、ＣＰＵ２１により、第１の両面タブ印刷設定解析処理が行われる（ステップＴ１３）。
【０１０２】
図１８及び図１９は、第１の両面タブ印刷設定解析処理を示すフローチャートである。
まず、ＣＰＵ２１により、両面タブ印刷設定情報に表タブ設定情報が含まれるか否かが判断される（ステップＴ２１）。両面タブ印刷設定情報に表タブ設定情報が含まれると判断された場合には（ステップＴ２１；ＹＥＳ）、ＣＰＵ２１により、表タブ設定情報のタブマークの種類に基づいて、表面のタブマークの種類が「ページ範囲指定」であるか否かが判断される（ステップＴ２２）。表面のタブマークの種類が「ページ範囲指定」であると判断された場合には（ステップＴ２２；ＹＥＳ）、ＣＰＵ２１により、表タブ設定情報のタブ設定情報（複数のカテゴリと各カテゴリに対応するページ範囲）に基づいて、タブマークを印刷するページが抽出される（ステップＴ２３）。実際に表面用のタブマークを印刷するページは用紙の表面のページのみであるから、指定されたページ範囲に含まれるページ番号のうち、表面のページ番号が抽出される。抽出されたタブマークを印刷するページの情報は、ＣＰＵ２１により、ＲＡＭ２７に格納される。
【０１０３】
ステップＴ２３の後、又は、ステップＴ２２において表面のタブマークの種類が「ページ範囲指定」でないと判断された場合には（ステップＴ２２；ＮＯ）、ＣＰＵ２１により、タブマークの印刷位置が算出される（ステップＴ２４）。タブマークの印刷位置は、カテゴリ数や用紙サイズによって決定される。算出されたタブマークの印刷位置の情報は、ＣＰＵ２１により、ＲＡＭ２７に格納される。
【０１０４】
ここで、図２０を参照して、タブマークの印刷位置の算出方法について説明する。
まず、印刷する用紙の縦方向の長さPaperSizeYから印刷可能幅を抽出し、印刷できない部分の用紙上部の長さをMarginTop、印刷できない部分の用紙下部の長さをMarginBottomとして定義する。なお、縦方向とは、図５及び図６に示した矢印Ｙ方向と一致する。以下、同様とする。
【０１０５】
次に、印刷可能幅を、タブマーク印刷幅TabMarkAreaYと、ページマーク印刷幅PageMarkAreaYとに分割する。TabMarkAreaYとPageMarkAreaYとの比率は、予め固定で指定されていてもよいし、クライアントＰＣ１０や画像形成装置２０から入力されることとしてもよい。また、PageMarkAreaYは、ページマークを印刷する場合にのみ確保することとしてもよい。
【０１０６】
タブマーク印刷幅TabMarkAreaYをカテゴリ数で割った値からタブマーク間の余白TabMarginYを引くことにより、タブマーク一つ当りの縦方向の長さTabMarkYを算出する。
TabMarkY＝（TabMarkAreaY÷カテゴリ数）−TabMarginY
なお、タブマーク間の余白TabMarginYは、固定値であってもよいし、クライアントＰＣ１０や画像形成装置２０から入力されることとしてもよい。
【０１０７】
また、タブマークの縦方向の印刷位置（用紙上端からタブマーク上端までの距離）は、何番目のタブマークかを示す番号を「タブマークの番号」として、下記式で表される。
タブマークの縦方向の印刷位置
＝MarginTop＋（タブマークの番号−１）×（TabMarkY＋TabMarginY）
【０１０８】
タブマークの横方向の印刷位置は、表面の場合には用紙の右端、裏面の場合には用紙の左端となる。
タブマークの幅Ｗは、１枚当りの印刷幅設定領域４５，５５において入力された値（１枚当りの印刷幅）に従う。
【０１０９】
次に、ＣＰＵ２１により、表タブ設定情報に表面のページ範囲印刷設定情報が含まれるか否かが判断される（ステップＴ２５）。表タブ設定情報に表面のページ範囲印刷設定情報が含まれると判断された場合には（ステップＴ２５；ＹＥＳ）、ＣＰＵ２１により、表面のページ範囲印刷設定情報の開始ページ及び終了ページに基づいて、ページマークを印刷するページが抽出される（ステップＴ２６）。実際に表面用のページマークを印刷するページは用紙の表面のページのみであるから、指定されたページ範囲に含まれるページ番号のうち、表面のページ番号が抽出される。抽出されたページマークを印刷するページの情報は、ＣＰＵ２１により、ＲＡＭ２７に格納される。
【０１１０】
次に、ＣＰＵ２１により、ページマークの印刷位置が算出される（ステップＴ２７）。算出されたページマークの印刷位置の情報は、ＣＰＵ２１により、ＲＡＭ２７に格納される。
【０１１１】
ここで、図２０を参照して、ページマークの印刷位置の算出方法について説明する。
まず、ページ範囲印刷設定情報のページマークの印刷範囲（開始ページから終了ページまで）のページ数をページ単位で割り、この値でページマーク印刷幅PageMarkAreaYを割った値からページマーク間の余白PageMarginYを引くことにより、ページマーク一つ当りの縦方向の長さPageMarkYを算出する。
PageMarkY＝｛PageMarkAreaY÷（ページマークの印刷範囲のページ数÷ページ単位）｝−PageMarginY
なお、ページマーク間の余白PageMarginYは、固定値であってもよいし、クライアントＰＣ１０や画像形成装置２０から入力されることとしてもよい。
【０１１２】
また、ページマークの縦方向の印刷位置（用紙上端からページマーク上端までの距離）は、何番目のページマークかを示す番号を「ページマークの番号」として、下記式で表される。
ページマークの縦方向の印刷位置
＝MarginTop＋TabMarkAreaY
＋（ページマークの番号−１）×（PageMarkY＋PageMarginY）
【０１１３】
ページマークの横方向の印刷位置は、表面の場合には用紙の右端、裏面の場合には用紙の左端となる。
ページマークの幅Ｗは、１枚当りの印刷幅設定領域４５，５５において入力された値に従う。
【０１１４】
ステップＴ２７の後、ステップＴ２５において表タブ設定情報に表面のページ範囲印刷設定情報が含まれないと判断された場合（ステップＴ２５；ＮＯ）、又は、ステップＴ２１において両面タブ印刷設定情報に表タブ設定情報が含まれないと判断された場合には（ステップＴ２１；ＮＯ）、ＣＰＵ２１により、両面タブ印刷設定情報に裏タブ設定情報が含まれるか否かが判断される（ステップＴ２８）。両面タブ印刷設定情報に裏タブ設定情報が含まれると判断された場合には（ステップＴ２８；ＹＥＳ）、ＣＰＵ２１により、裏タブ設定情報のタブマークの種類に基づいて、裏面のタブマークの種類が「ページ範囲指定」であるか否かが判断される（ステップＴ２９）。裏面のタブマークの種類が「ページ範囲指定」であると判断された場合には（ステップＴ２９；ＹＥＳ）、ＣＰＵ２１により、裏タブ設定情報のタブ設定情報（複数のカテゴリと各カテゴリに対応するページ範囲）に基づいて、タブマークを印刷するページが抽出される（ステップＴ３０）。実際に裏面用のタブマークを印刷するページは用紙の裏面のページのみであるから、指定されたページ範囲に含まれるページ番号のうち、裏面のページ番号が抽出される。抽出されたタブマークを印刷するページの情報は、ＣＰＵ２１により、ＲＡＭ２７に格納される。
【０１１５】
ステップＴ３０の後、又は、ステップＴ２９において裏面のタブマークの種類が「ページ範囲指定」でないと判断された場合には（ステップＴ２９；ＮＯ）、ＣＰＵ２１により、タブマークの印刷位置が算出される（ステップＴ３１）。タブマークの印刷位置は、カテゴリ数や用紙サイズによって決定される。算出されたタブマークの印刷位置の情報は、ＣＰＵ２１により、ＲＡＭ２７に格納される。
【０１１６】
次に、ＣＰＵ２１により、裏タブ設定情報に裏面のページ範囲印刷設定情報が含まれるか否かが判断される（ステップＴ３２）。裏タブ設定情報に裏面のページ範囲印刷設定情報が含まれると判断された場合には（ステップＴ３２；ＹＥＳ）、ＣＰＵ２１により、裏面のページ範囲印刷設定情報の開始ページ及び終了ページに基づいて、ページマークを印刷するページが抽出される（ステップＴ３３）。実際に裏面用のページマークを印刷するページは用紙の裏面のページのみであるから、指定されたページ範囲に含まれるページ番号のうち、裏面のページ番号が抽出される。抽出されたページマークを印刷するページの情報は、ＣＰＵ２１により、ＲＡＭ２７に格納される。
【０１１７】
次に、ＣＰＵ２１により、ページマークの印刷位置が算出される（ステップＴ３４）。算出されたページマークの印刷位置の情報は、ＣＰＵ２１により、ＲＡＭ２７に格納される。
【０１１８】
ステップＴ３４の後、ステップＴ３２において裏タブ設定情報に裏面のページ範囲印刷設定情報が含まれないと判断された場合（ステップＴ３２；ＮＯ）、又は、ステップＴ２８において両面タブ印刷設定情報に裏タブ設定情報が含まれないと判断された場合には（ステップＴ２８；ＮＯ）、第１の両面タブ印刷設定解析処理が終了する。
【０１１９】
図１７に戻り、ＣＰＵ２１により、第２の両面タブ印刷設定解析処理が行われる（ステップＴ１４）。
【０１２０】
図２１は、第２の両面タブ印刷設定解析処理を示すフローチャートである。
まず、ＣＰＵ２１により、表タブ設定情報に表面のカテゴリ印刷設定情報が含まれるか否かが判断される（ステップＴ４１）。表タブ設定情報に表面のカテゴリ印刷設定情報が含まれると判断された場合には（ステップＴ４１；ＹＥＳ）、ＣＰＵ２１により、カテゴリ印刷設定情報に含まれるカテゴリ印刷の開始ページ及び終了ページに基づいて、カテゴリ印刷を行うページが抽出される（ステップＴ４２）。実際に表面用のカテゴリ印刷を行うページは用紙の表面のページのみであるから、指定されたページ範囲に含まれるページ番号のうち、表面のページ番号が抽出される。抽出されたカテゴリ印刷を行うページの情報は、ＣＰＵ２１により、ＲＡＭ２７に格納される。
【０１２１】
次に、ＣＰＵ２１により、カテゴリ印刷内容が生成される（ステップＴ４３）。生成されたカテゴリ印刷内容は、ＣＰＵ２１により、ＲＡＭ２７に格納される。カテゴリ印刷内容には、全てのタブマークと各タブマークに対応するカテゴリ名が含まれる。また、ページ範囲印刷を行う場合には、さらに、全てのページマークと各ページマークに対応するページ範囲が含まれる。
【０１２２】
ステップＴ４１において、表タブ設定情報に表面のカテゴリ印刷設定情報が含まれないと判断された場合（ステップＴ４１；ＮＯ）、又は、ステップＴ４３の後、ＣＰＵ２１により、裏タブ設定情報に裏面のカテゴリ印刷設定情報が含まれるか否かが判断される（ステップＴ４４）。裏タブ設定情報に裏面のカテゴリ印刷設定情報が含まれると判断された場合には（ステップＴ４４；ＹＥＳ）、ＣＰＵ２１により、カテゴリ印刷設定情報に含まれるカテゴリ印刷の開始ページ及び終了ページに基づいて、カテゴリ印刷を行うページが抽出される（ステップＴ４５）。実際に裏面用のカテゴリ印刷を行うページは用紙の裏面のページのみであるから、指定されたページ範囲に含まれるページ番号のうち、裏面のページ番号が抽出される。抽出されたカテゴリ印刷を行うページの情報は、ＣＰＵ２１により、ＲＡＭ２７に格納される。
【０１２３】
次に、ＣＰＵ２１により、カテゴリ印刷内容が生成される（ステップＴ４６）。生成されたカテゴリ印刷内容は、ＣＰＵ２１により、ＲＡＭ２７に格納される。カテゴリ印刷内容には、全てのタブマークと各タブマークに対応するカテゴリ名が含まれる。また、ページ範囲印刷を行う場合には、さらに、全てのページマークと各ページマークに対応するページ範囲が含まれる。
【０１２４】
ステップＴ４４において、裏タブ設定情報にカテゴリ印刷設定情報が含まれないと判断された場合（ステップＴ４４；ＮＯ）、又は、ステップＴ４６の後、第２の両面タブ印刷設定解析処理が終了し、図１７に戻る。
【０１２５】
ステップＴ１４の後、又は、ステップＴ１２において、印刷ジョブに両面タブ印刷設定情報が含まれないと判断された場合には（ステップＴ１２；ＮＯ）、図１６に戻り、ＣＰＵ２１により、ＲＩＰ処理が行われる（ステップＴ３）。
【０１２６】
ここで、図２２を参照して、ＲＩＰ処理について説明する。
ＲＩＰ処理では、ジョブ解析処理にて解析された両面タブ印刷設定情報に従って、タブマーク画像、ページマーク画像、カテゴリ画像を本文画像に合成する。
まず、ＣＰＵ２１により、１ページ分の本文画像がラスタライズされる（ステップＴ５１）。本文画像のラスタデータは、ＣＰＵ２１により、ＲＡＭ２７に格納される。
【０１２７】
次に、ＣＰＵ２１により、ジョブ解析処理にて解析された両面タブ印刷設定情報から、ラスタライズした本文画像のページに対応するタブマークがあるか否かが判断される（ステップＴ５２）。当該ページに対応するタブマークがあると判断された場合には（ステップＴ５２；ＹＥＳ）、ＣＰＵ２１により、ステップＴ２４又はステップＴ３１において算出されたタブマークの印刷位置に基づいて、タブマーク画像がラスタライズされ（ステップＴ５３）、そのページの本文画像にタブマーク画像が合成される（ステップＴ５４）。合成されたラスタデータは、ＣＰＵ２１により、ＲＡＭ２７に格納される。
【０１２８】
ステップＴ５２において、当該ページに対応するタブマークがないと判断された場合（ステップＴ５２；ＮＯ）、又は、ステップＴ５４の後、ＣＰＵ２１により、ジョブ解析処理にて解析された両面タブ印刷設定情報から、ラスタライズした本文画像のページに対応するページマークがあるか否かが判断される（ステップＴ５５）。当該ページに対応するページマークがあると判断された場合には（ステップＴ５５；ＹＥＳ）、ＣＰＵ２１により、ステップＴ２７又はステップＴ３４において算出されたページマークの印刷位置に基づいて、ページマーク画像がラスタライズされ（ステップＴ５６）、そのページの本文画像にページマーク画像が合成される（ステップＴ５７）。合成されたラスタデータは、ＣＰＵ２１により、ＲＡＭ２７に格納される。
【０１２９】
ステップＴ５５において、当該ページに対応するページマークがないと判断された場合（ステップＴ５５；ＮＯ）、又は、ステップＴ５７の後、ＣＰＵ２１により、ジョブ解析処理にて解析された両面タブ印刷設定情報から、ステップＴ５１においてラスタライズした本文画像のページがカテゴリ印刷設定情報のページ範囲に含まれるか否かが判断される（ステップＴ５８）。当該ページがカテゴリ印刷設定情報のページ範囲に含まれると判断された場合には（ステップＴ５８；ＹＥＳ）、ＣＰＵ２１により、ステップＴ４３又はステップＴ４６において生成されたカテゴリ印刷内容に基づいて、カテゴリ画像がラスタライズされ（ステップＴ５９）、そのページの本文画像にカテゴリ画像が合成される（ステップＴ６０）。合成されたラスタデータは、ＣＰＵ２１により、ＲＡＭ２７に格納される。
【０１３０】
ステップＴ５８において、当該ページがカテゴリ印刷設定情報のページ範囲に含まれないと判断された場合（ステップＴ５８；ＮＯ）、又は、ステップＴ６０の後、ＣＰＵ２１により、ラスタライズすべき次のページがあるか否かが判断される（ステップＴ６１）。次のページがあると判断された場合には（ステップＴ６１；ＹＥＳ）、ステップＴ５１に戻り、ステップＴ５１〜ステップＴ６１の処理が繰り返される。
【０１３１】
ラスタライズすべき次のページがなくなったと判断された場合には（ステップＴ６１；ＮＯ）、図１６に戻り、ＣＰＵ２１により印刷部２８が制御され、各ページに対応するラスタデータに基づいて、印刷が行われる（ステップＴ４）。
以上で、印刷処理が終了する。
【０１３２】
印刷処理終了後、印刷後の複数の用紙は１辺が綴じられて、冊子６０が作成される（図４〜図６参照）。用紙の綴じ方は、中綴じ、平綴じ、無線綴じ、糸綴じ等、いずれの方法を用いてもよい。その結果、図５に示すように、複数の用紙を順方向（図５に示す矢印Ｘ１方向）に繰る形態に冊子６０を湾曲させた場合、すなわち、用紙の表面６３が凸になるように冊子６０を湾曲させた場合には、冊子６０の小口側６２の端部に表面用のタブマーク７１が現れる。一方、図６に示すように、複数の用紙を逆順方向（図６に示す矢印Ｘ２方向）に繰る形態に冊子６０を湾曲させた場合、すなわち、用紙の裏面６４が凸になるように冊子６０を湾曲させた場合には、冊子６０の小口側６２の端部に裏面用のタブマーク７２が現れる。
【０１３３】
以上説明したように、本実施の形態によれば、冊子６０を構成する用紙の表面６３と裏面６４とで異なる情報を提示することができる。具体的には、用紙の表面６３と裏面６４とで異なる分類方法により区分けされた区分を示す情報を提示することができる。
【０１３４】
例えば、図５に示すように、タブマーク７１が各章のページ範囲を示す場合等には、ページ範囲で区分けする分類方法により区分けされた区分を示す情報を提示することができる。
【０１３５】
また、図６に示すように、タブマーク７２が、そのページに含まれる用語の頭文字があ行、か行、・・・のいずれの区分に属するかを示す場合等には、離散的に配置された複数のページからなるページ群に区分けされた区分を示す情報を提示することができる。
【０１３６】
なお、上記実施の形態における記述は、本発明に係る冊子、印刷指示装置、画像形成装置の例であり、これに限定されるものではない。
【０１３７】
例えば、上記実施の形態においては、画像形成装置２０側でタブマーク画像、ページマーク画像、カテゴリ画像を本文画像に合成することとしたが、クライアントＰＣ１０側で合成処理後、合成後のデータを画像形成装置２０に送信することとしてもよい。
【０１３８】
また、上記実施の形態においては、タブマークの印刷位置及びサイズ、ページマークの印刷位置及びサイズを画像形成装置２０（プリンタコントローラ）側で算出することとしたが、これらの値は、クライアントＰＣ１０（プリンタドライバ）側で算出することとしてもよいし、クライアントＰＣ１０の設定画面において入力できるようにしてもよいし、画像形成装置２０の操作部２２から入力できるようにしてもよい。
【０１３９】
また、上記実施の形態では、クライアントＰＣ１０側でページ範囲指定時ページ調整処理及び特定ページ指定時ページ調整処理を行うこととしたが、これらの処理を画像形成装置２０側で行うこととしてもよい。
【０１４０】
また、上記実施の形態では、裏面のタブマークについて、索引に記載されている用語の頭文字があ行、か行、・・・、わ行のいずれの区分に属するかに基づいて、各用語が含まれるページを区分けする場合を例にして説明したが、索引に記載されている用語の頭文字がＡ、Ｂ、Ｃ、・・・のいずれの区分に属するかに基づいて、各用語が含まれるページを区分けすることとしてもよい。
【０１４１】
以上の説明では、各処理を実行するためのプログラムを格納したコンピュータ読み取り可能な媒体としてＲＯＭ又はハードディスク等を使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【０１４２】
１  画像形成システム
１０  クライアントＰＣ
１１  ＣＰＵ
１２  操作部
１３  表示部
１４  通信部
１５  ＲＯＭ
１６  ＲＡＭ
１７  記憶部
１８  バス
２０  画像形成装置
２１  ＣＰＵ
２２  操作部
２３  表示部
２４  画像読取部
２５  通信部
２６  ＲＯＭ
２７  ＲＡＭ
２８  印刷部
２９  記憶部
３０  バス
４０  両面タブ印刷設定画面
４１  両面タブチェックボックス
４２  表タブ設定タブ
４３，５３  タブ種類設定領域
４４，５４  タブ設定領域
４５，５５  １枚当りの印刷幅設定領域
４６，５６  ページ範囲印刷設定領域
４６ａ，５６ａ  ページ範囲印刷チェックボックス
４６ｂ，５６ｂ  開始ページ設定領域
４６ｃ，５６ｃ  終了ページ設定領域
４６ｄ，５６ｄ  ページ単位設定領域
４７，５７  カテゴリ印刷設定領域
４７ａ，５７ａ  カテゴリ印刷チェックボックス
４７ｂ，５７ｂ  開始ページ設定領域
４７ｃ，５７ｃ  終了ページ設定領域
４８，５８  プレビュー表示領域
５２  裏タブ設定タブ
６０  冊子
６１  綴じ側
６２  小口側
６３  表面
６４  裏面
７１  タブマーク
７２  タブマーク
７３  ページマーク
７４  カテゴリ画像
Ｎ  通信ネットワーク
【図１】
2010201802.tif 000003
【図２】
2010201802.tif 000004
【図３】
2010201802.tif 000005
【図４】
2010201802.tif 000006
【図５】
2010201802.tif 000007
【図６】
2010201802.tif 000008
【図７】
2010201802.tif 000009
【図８】
2010201802.tif 000010
【図９】
2010201802.tif 000011
【図１０】
2010201802.tif 000012
【図１１】
2010201802.tif 000013
【図１２】
2010201802.tif 000014
【図１３】
2010201802.tif 000015
【図１４】
2010201802.tif 000016
【図１５】
2010201802.tif 000017
【図１６】
2010201802.tif 000018
【図１７】
2010201802.tif 000019
【図１８】
2010201802.tif 000020
【図１９】
2010201802.tif 000021
【図２０】
2010201802.tif 000022
【図２１】
2010201802.tif 000023
【図２２】
2010201802.tif 000024